(57)【要約】      （修正有）【課題】特定の照明器具の安全回路の動作を個別的にリセットする必要が生じた場合であっても高所作業を伴わずに容易にリセット操作することが可能な照明器具を提供する。【解決手段】照明器具１は、器具本体５と、放電ランプ８と、点灯装置１０と、反射部材７と、放電ランプ８の異常状態を検知して点灯装置１０の高電圧の印加を停止させる安全回路１０ａと、器具本体５外部からの特定の光が検出可能な器具本体５内に配設されこの特定の光の検出によって安全回路１０ａの高電圧印加の停止状態をリセットして放電ランプ８を始動させるリセット回路１６とを具備している。リセット回路１６が特定の光を検出すると、安全回路１０ａの高電圧印加の停止状態がリセットされて放電ランプが始動されるので、高所作業を伴わずに安全回路１０ａの動作を個別的にリセット操作することが可能となる。【選択図】図１
2010086727.tif 000002
【特許請求の範囲】
【請求項１】
照射開口を有する器具本体と；
この器具本体内に配置され点灯始動時に高電圧が印加されて点灯する放電ランプと；
前記器具本体に設けられ放電ランプ点灯始動時に高電圧を印加するとともに点灯電力を供給する点灯装置と；
この放電ランプに対向して前記器具本体内に設けられた反射部材と；
前記放電ランプの異常状態を検知して前記点灯装置の高電圧の印加を停止させる安全回路と；
前記器具本体外部からの特定の光を検出可能な器具本体内に配設されこの特定の光の検出によって安全回路の高電圧印加の停止状態をリセットして前記放電ランプを始動させるリセット回路と；
を具備していることを特徴とする照明器具。
【請求項２】
前記器具本体は照射開口の周囲から外周方向に延出した天井面に近接するフランジ部を有しており、このフランジ部に形成された通孔を介して特定の光が検出可能な位置にリセット回路の受光手段が設けられていることを特徴とする請求項１記載の照明器具。
【発明の詳細な説明】
【技術分野】
【０００１】
本発明は、点灯始動時に高電圧が印加されて点灯する放電ランプを有する照明器具に関する。
【背景技術】
【０００２】
水銀ランプや、メタルハイライドランプ、高圧ナトリウムランプ等の高圧放電ランプを有した照明器具が用いられている。この照明器具では、天井面に埋め込まれたダウンライトとして使用されることが多い。
【０００３】
この照明器具の放電ランプを点灯させるための点灯回路は、電源が投入されて高圧パルスを発生する高圧パルス発生装置と、電源投入から所定時間経過後あるいは、放電ランプが装着されていない無負荷状態または放電ランプ寿命末期時といった異常状態のときに高圧パルス発生回路の高圧パルスの発生を停止させる安全回路とが通常設けられている。
【０００４】
そして、このような照明器具では、点灯装置に電源を投入すると、高圧パルス発生回路が高圧パルスを発生してランプに印加し、ランプを点灯させる。この高圧パルスは、安全回路により所定時間経過後に停止されるようになっている。
【０００５】
この照明器具においては、安全回路の動作によって不点となった放電ランプを交換した場合、一旦、照明器具への電源を停止してからランプを始動させなければならないが、共通の電源回路で複数個の照明器具を点灯させている場合、ひとつの照明器具への電源を停止してからランプを交換し、電源を再投入して点灯させると、他の照明器具のランプの電源も停止することになり、電源回路を共通に有する照明器具のランプが一時的に一斉消灯するという不具合がある。
【０００６】
このため、照明器具に安全回路のリセットスイッチを設け、ランプ交換が行われた照明器具についてのみパルス発生回路に電源を再投入することで他の照明器具を消灯することなく、放電ランプを始動、点灯することができる構成が知られている（特許文献１参照）。
【特許文献１】特開平６−２９０６３０号公報
【発明の開示】
【発明が解決しようとする課題】
【０００７】
上述の安全回路のリセットスイッチを設けた照明器具は、放電ランプの異常によってランプ交換が行われた場合には有効であるが、安全回路は供給電源設備の瞬時停電や消灯時間が短い場合に誤動作して高圧パルスの発生を停止させることがある。このように安全回路が誤動作した場合に他の照明器具を消灯させることなく放電ランプを始動させるには、リセットスイッチを操作して高圧パルス発生回路を再始動させなければならない。
【０００８】
しかし、照明器具が天井面に配設されている場合には、リセットスイッチを操作するために脚立や足場等を用意して高所作業を行う必要があり、リセット操作が煩雑なものとなって不便であった。
【０００９】
本発明は、上記課題に鑑みてなされたものであり、特定の照明器具の安全回路の動作を個別的にリセットする必要が生じた場合であっても高所作業を伴わずに容易にリセット操作することが可能な照明器具を提供することを目的とする。
【課題を解決するための手段】
【００１０】
請求項１の照明器具は、照射開口を有する器具本体と；この器具本体内に配置され点灯始動時に高電圧が印加されて点灯する放電ランプと；前記器具本体に設けられ放電ランプ点灯始動時に高電圧を印加するとともに点灯電力を供給する点灯装置と；この放電ランプに対向して前記器具本体内に設けられた反射部材と；前記放電ランプの異常状態を検知して前記点灯装置の高電圧の印加を停止させる安全回路と；前記器具本体外部からの特定の光が検出可能な器具本体内に配設されこの特定の光の検出によって安全回路の高電圧印加の停止状態をリセットして前記放電ランプを始動させるリセット回路と；を具備していることを特徴とする。
【００１１】
リセット回路が検出する特定の光とは、特定の波長領域内の光や所定のパルス信号を生成する光等、リセット操作を行う操作者が光放射する任意の出力光を意味するものである。すなわち、リセット回路は通常の屋外光または室内光では検出動作を行わないが、リセット操作を行う操作者の光放射手段によってのみ検出動作するものである。したがって、上記特定の光とは、不特定波長の光であっても操作者の光放射手段から所定強度の光が到達する位置にリセット回路が配設されることでリセット回路が検出可能となる光であってもよい。
【００１２】
リセット回路が特定の光を検出すると、安全回路の高電圧印加の停止状態がリセットされて放電ランプが始動されるので、高所作業を伴わずに安全回路の動作を個別的にリセット操作することができる。
【００１３】
請求項２は、請求項１記載の照明器具において、前記器具本体は照射開口の周囲から外周方向に延出した天井面に近接するフランジ部を有しており、このフランジ部に形成された通孔を介して特定の光が検出可能な位置にリセット回路の受光手段が設けられていることを特徴とする。
【００１４】
フランジ部に形成された通孔には、フォトダイオード等の受光手段が設けられており、この受光手段が特定の光を検出することによって安全回路をリセットすることが可能となる。通孔の孔径を調整することによって、受光手段の感度を調整することが可能となり、通常の屋外光または室内光では受光手段が反応しないようにできる。このように、フランジ部に通孔を設けることで、リセット回路を動作させる位置が床面からでも容易に認識することができる。
【発明の効果】
【００１５】
請求項１の発明によれば、リセット回路が特定の光を検出すると、安全回路の高電圧印加の停止状態がリセットされて放電ランプが始動されるので、高所作業を伴わずに安全回路の動作を個別的にリセット操作することが可能な照明器具を提供することができる。
【００１６】
請求項２の発明によれば、フランジ部に通孔を設けることで、リセット回路を動作させる位置が床面からでも容易に認識することができ、リセット操作を容易に行うことが可能となる。
【発明を実施するための最良の形態】
【００１７】
以下、本発明の一実施の形態について、図面を参照して説明する。
【００１８】
図１は、本実施形態の照明器具を示す概略正面断面図である。照明器具１は、造営物としての天井２に埋設されるダウンライトであり、灯体３、内側本体４、器具本体５およびフランジ部としての化粧カバー６を有して形成されている。
【００１９】
灯体３は、例えばアルミニウム（Ａｌ）の板材から形成されており、内面が反射面に形成された反射部材としての半球状の反射体７と、照明用ランプとしての高圧放電ランプ例えばセラミック製の発光管を備えた放電ランプとしてのメタルハライドランプ８を有して構成されている。
【００２０】
灯体３の上側内部には、放電ランプ点灯始動時に高電圧パルスを発生してランプ８に印加するとともに点灯電力を供給する点灯装置１０が設けられている。この点灯装置１０はイグナイタを備えた降圧チョッパ回路であってもよく、周波数制御によって正弦波の共振出力によって高電圧を印加するインバータ回路であってもよい。
【００２１】
点灯装置１０には、安全回路１０ａが内蔵されている。この安全回路１０ａは、ランプ８の寿命末期等の異常を検知して、点灯装置１０の高電圧の発生を停止するように機能し、供給電源を再度投入すると安全回路１０ａの停止機能をリセットする他、後述のリセット回路の検出出力によっても安全回路１０ａの停止機能をリセットが行われるものである。
この点灯装置１０の下方にはランプソケット１１が設けられており、このランプソケット１１にメタルハライドランプ８が装着されている。
【００２２】
灯体３は、内側本体４に対して軸支部１２によって鉛直方向に回動可能に連結支持されており、内側本体４は、器具本体５に対して水平方向に回動可能なように回動手段１３を介して連結支持されている。
【００２３】
器具本体５は、下面に照射開口１４が形成されており、この照射開口１４からメタルハライドランプ８および反射体７からの放射・反射光が出力される。天井面２に近接するフランジ部としての化粧カバー６は、照射開口１４の周囲から外周方向に延出するように設けられている。
【００２４】
この化粧カバー６には、直径２〜５ｍｍｍの通孔１５が形成されている。この通孔１５の上方位置であって器具本体５の内側位置には、リセット回路１６が配設されている。このように、フランジ部としての化粧カバー６に通孔１５を設けることで、リセット回路１０ａを動作させる位置が床面からでも容易に認識することができる。
【００２５】
リセット回路１６は、受光手段としてのフォトダイオード１６ａが設けられており、通孔１５を通る鉛直方向の光はフォトダイオード１６ａによって受光される。
【００２６】
次に、本実施形態の作用について説明する。供給電源設備の瞬時停電や消灯時間が短い場合に、特定の照明器具１の安全回路１０ａが誤動作して高電圧の発生が停止した場合、他の照明器具を消灯させることなく照明器具１の安全回路１０ａの停止機能を個別的にリセットする必要がある。
【００２７】
そこで、リセット操作を行う操作者は、リモコンなどの操作手段１７を用いて、特定の光を通孔１５からフォトダイオード１６ａに受光されるように照射する。操作手段１７としては、レーザーポインタなどの指向性の高い光出力装置を用いることもできる。このような光出力装置を用いることで、通常の屋外光または室内光で検出動作が行われることなく、確実にフォトダイオード１６ａへ所定値以上の強度で特定の光を受光させることができる。
なお、操作手段１７としては、所定波長域内の光や所定のパルス信号を出力するものであってもよい。
【００２８】
リセット回路１６が特定の光を検出すると、安全回路１０ａの高電圧印加の停止状態がリセットされてランプ８が始動される。これにより、操作者が高所作業を伴わずに安全回路１０ａの動作を個別的にリセット操作することができる。
【図面の簡単な説明】
【００２９】
【図１】本発明の一実施形態の照明器具を示す概略正面断面図。
【符号の説明】
【００３０】
１…照明器具、５…器具本体、７…反射部材、８…放電ランプ、１０…点灯装置、１０ａ…安全回路、１４…照射開口、１６…リセット回路。
【図１】
2010086727.tif 000003